(57)【要約】【課題】予め定めたアイコン外周領域内のおけるポインターの移動軌跡によりアイコンを選択したと見なすことにより操作性の向上を図る。【解決手段】表示部に表示するアイコン個々の外周に所定のアイコン選択領域と、アイコン選択領域の外周に所定のアイコン選択有効領域を備え、ポインターがアイコン選択領域内に位置したとき対応するアイコンを選択し、ポインターがアイコン選択有効領域内に位置したときポインターがアイコン選択有効領域内を所定回数以上連続して移動、停止を繰り返したとき、対応するアイコンを選択する。【選択図】      図２
2005215749.tif 000002
【特許請求の範囲】
【請求項１】
所定の操作によりポインターを移動して表示部に表示されている１つあるいは複数の操作要素のいずれか１つを選択する機能を有する携帯情報装置の操作要素の選択方式において、前記表示部に表示する少なくとも機能やプログラムの前記操作要素の表示領域である第１の表示領域ごとに、前記第１の表示領域の近傍に所定の第２の表示領域を備え、前記ポインターが前記第２の表示領域内に位置したとき前記ポインターの移動軌跡が予め設定した所定の条件を満たしたとき対応する前記第１の識別情報を選択する操作要素選択手段を有することを特徴とする操作要素の選択方式。
【請求項２】
所定の操作によりポインターを移動して表示部に表示されている１つあるいは複数の操作要素のいずれか１つを選択する機能を有する携帯情報装置の操作要素の選択方式において、前記表示部に表示する少なくとも機能やプログラムの前記操作要素の表示領域である第１の表示領域ごとに、前記第1の表示領域の近傍の任意の位置に所定の第２の表示領域を備え、前記ポインターが前記第２の表示領域内に位置したとき前記ポインターの移動軌跡が予め設定した所定の条件を満たしたとき対応する前記第１の識別情報を選択する操作要素選択手段を有することを特徴とする操作要素の選択方式。
【請求項３】
ポインティング・デバイスの操作によりポインターを移動して表示部に表示されている１つあるいは複数の少なくとも機能やプログラムの操作要素のいずれか１つを選択する機能を有する携帯情報装置の操作要素の選択方式において、前記表示部に表示する前記操作要素個々の外周に所定の操作要素選択有効領域を備え、前記ポインターが前記操作要素選択有効領域内に位置したとき前記ポインターが前記操作要素選択有効領域内を所定回数以上連続して移動、停止を繰り返したとき、対応する前記操作要素を選択する操作要素選択手段を有することを特徴とする操作要素の選択方式。
【請求項４】
前記操作要素選択有効領域内における前記ポインターの移動および停止の前記所定回数は２回以上であることを特徴とする請求項３記載の操作要素の選択方式。
【請求項５】
ポインティング・デバイスの操作によりポインターを移動して表示部に表示されている１つあるいは複数の少なくとも機能やプログラムの操作要素のいずれか１つを選択する機能を有する携帯情報装置の操作要素の選択方式において、前記表示部に表示する前記操作要素個々の外周に所定の操作要素選択有効領域を備え、前記ポインターが前記操作要素選択有効領域内に位置したとき前記ポインターが前記操作要素選択有効領域内で進行方向を進入時の方向と異なる方向を変更して停止したとき、対応する前記操作要素を選択する操作要素選択手段を有することを特徴とする操作要素の選択方式。
【請求項６】
請求項１乃至５記載の操作要素の選択方式を備えた携帯情報装置。
【請求項７】
ポインターを移動させるためのポインティング・デバイスと、前記ポインティング・デバイスの移動情報を前記ポインターの移動情報に変換する移動量変換部と、アイコン、ポインター等を表示する表示部と、アイコンや各アイコンに対するアイコン選択領域、アイコン選択有効領域、および前記表示部の表示に関する情報を格納する表示情報格納部と、前記表示部に表示される前記ポインターの座標位置情報を格納するポインター位置情報格納部と、前記ポインターの移動履歴情報を格納するポインター移動履歴情報格納部と、前記表示情報格納部と前記ポインター位置情報格納部の情報から少なくともアイコン、ポインターのビットマップデータを含む表示データの作成および前記表示部の制御を行う表示制御部と、ポインター位置更新要求を一定周期で発生させるタイマ部と、アイコンが選択される条件を格納した判断基準格納部と、前記表示情報格納部と前記ポインター位置情報格納部と前記ポインター移動履歴情報格納部の情報と、前記判断基準格納部の判断条件とから、どのアイコンが選択されているか判断するアイコン選択判断部と、上記各部の制御を含み携帯情報装置全体の制御を司る制御部とを有することを特徴とする請求項６記載の携帯情報装置。
【請求項８】
ポインティング・デバイスの操作によりポインターを移動して表示部に表示されている１つあるいは複数の少なくとも機能やプログラムの操作要素のいずれか１つを選択する機能を有する携帯情報装置の操作要素の選択方法において、前記表示部に表示する前記操作要素個々の外周に所定の操作要素選択有効領域を備え、ユーザが表示部上に表示されている所望する操作要素を選択すべく操作するポインティング・デバイスの移動を検出し、ポインティング・デバイスの移動量をポインターの移動量に変換する第１のステップと、第１のステップで変換した今回のポインター情報と保存してある前回のポインター位置情報とから現在のポインター位置を算出し、ポインター位置を更新し保存する第２のステップと、所定の周期で発生するポインター位置更新要求を検出したとき、保存している前々回のポインター位置情報と前回のポインター位置情報の内、前々回のポインター位置情報を破棄し、第２のステップで変換した今回のポインター情報を追加して前回のポインター位置情報と今回のポインター位置情報を保存する第３のステップと、少なくとも、予め保存してある複数の操作要素、操作要素個々の外周に設定されている操作要素選択有効領域の座標情報である表示情報、第２のステップで保存した現在のポインター位置情報、第３のステップで保存した前回のポインター位置情報および今回のポインター位置情報と、予め保存してある操作要素選択条件とを比較する第４のステップと、第４のステップにおいてポインターが前記操作要素選択有効領域内に存在し、且つこの操作要素選択有効領域内を前記ポインターが所定回数以上連続して移動、停止を繰り返したことを検出したとき、対応する操作要素の選択処理を行う第５のステップとから成ることを特徴とする操作要素の選択方法。
【請求項９】
ポインティング・デバイスの操作によりポインターを移動して表示部に表示されている１つあるいは複数の少なくとも機能やプログラムの操作要素のいずれか１つを選択する機能を有する携帯情報装置の操作要素の選択方法において、前記表示部に表示する前記操作要素個々の外周に所定操作要素選択有効領域を備え、ユーザが表示部上に表示されている所望する操作要素を選択すべく操作するポインティング・デバイスの移動を検出し、ポインティング・デバイスの移動量をポインターの移動量に変換する第６のステップと、第６のステップで変換した今回のポインター情報と保存してある前回のポインター位置情報とから現在のポインター位置を算出し、ポインター位置を更新し保存する第７のステップと、所定の周期で発生するポインター位置更新要求を検出したとき、保存している前々回のポインター位置情報と前回のポインター位置情報の内、前々回のポインター位置情報を破棄し、第７のステップで変換した今回のポインター情報を追加して前回のポインター位置情報と今回のポインター位置情報を保存する第８のステップと、少なくとも、予め保存してある複数の操作要素、操作要素個々の外周に設定されている操作要素選択有効領域の座標情報である表示情報、第７のステップで保存した現在のポインター位置情報、第８のステップで保存した前回のポインター位置情報および今回のポインター位置情報と、予め保存してある操作要素選択条件とを比較する第９のステップと、第９のステップにおいてポインターが前記操作要素選択有効領域内に存在し、且つこの操作要素選択有効領域内を前記ポインターが進入方向と異なる方向へ移動して停止したことを検出したとき、対応する操作要素の選択処理を行う第１０のステップとから成ることを特徴とする操作要素の選択方法。
【請求項１０】
ポインティング・デバイスの操作によりポインターを移動して表示部に表示されている１つあるいは複数の少なくとも機能やプログラムの操作要素のいずれか１つを選択する機能を有する携帯情報装置の操作要素の選択方式において、前記表示部に表示する前記操作要素個々の外周に所定の操作要素選択有効領域を備え、ユーザが表示部上に表示されている所望する操作要素を選択すべく操作するポインティング・デバイスの移動を検出し、ポインティング・デバイスの移動量をポインターの移動量に変換する第１１のステップと、第１１のステップで変換した今回のポインター情報と保存してある前回のポインター位置情報とから現在のポインター位置を算出し、ポインター位置を更新し保存する第１２のステップと、所定の周期で発生するポインター位置更新要求を検出したとき、保存している前々回のポインター位置情報と前回のポインター位置情報の内、前々回のポインター位置情報を破棄し、第１２のステップで変換した今回のポインター情報を追加して前回のポインター位置情報と今回のポインター位置情報を保存する第３のステップと、少なくとも、予め保存してある複数の操作要素、操作要素個々の外周に設定されている操作要素選択有効領域の座標情報である表示情報、第１２のステップで保存した現在のポインター位置情報、第１３のステップで保存した前回のポインター位置情報および今回のポインター位置情報と、予め保存してある操作要素選択条件とを比較する第１４のステップと、第１４のステップにおいてポインターが前記操作要素選択有効領域内に存在し、且つこの操作要素選択有効領域内を前記ポインターが所定回数以上連続して移動、停止を繰り返したとき、または操作要素選択有効領域内を前記ポインターが進入方向と異なる方向へ移動して停止したことを検出したとき、対応する操作要素の選択処理を行う第１５のステップとから成ることを特徴とする操作要素の選択方法。
【発明の詳細な説明】
【技術分野】
【０００１】
本発明は操作要素の選択方式に関し、特にノート型パーソナルコンピュータやＰＤＡ、携帯端末、携帯電話等の携帯情報装置の小型化に伴い小型化されたポインティング・デバイスの操作性を改善し、目的のアイコン上にポインターを的確且つ迅速に移動する選択制御に関する。
【背景技術】
【０００２】
近年、ＰＤＡ、携帯電話等の携帯情報装置はアプリケーション・ソフトウェア機能向上によりデスクトップ型パーソナルコンピュータと同様のＧＵＩ（グラフィカル・ユーザー・インターフェイス）を求められるようになっている。
【０００３】
これにより、機器の操作部、静電式タブレット、トラックボール等と同様な機構のポインティング・デバイスを採用することが多くなっている。
携帯情報装置では装置を小型化するために、デスクトップ型パーソナル等と同様なこれらのポインティング・デバイスを小型化すると、物理的な制約により操作性が悪くなる。
すなわち、ポインターを目的の位置に的確且つ迅速に移動させることが困難になる。
そのため、操作性を向上させるには、ポインティング・デバイスを物理的に変更せず、システムの変更が必要にある。
【０００４】
ポインティング・デバイスによるカーソル操作を簡略化し項目選択時の操作効率を向上させる技術が例えば、特開平０３−１３５６１７号公報（情報処理装置の表示装置）に開示されている。
【０００５】
上記従来技術においては、ユーザが表示装置に表示された項目選択のための複数個のアイコンの指示による業務メニューの選択時等において、ポインティング・デバイスのクリックによるカーソル移動によって複数回の指示が要求される場合がある。
このようにユーザがメニュー選択時にカーソル移動による複数回の指示を行うとき、上記従来技術においては、それ以前の使用頻度が最高のアイコンが自動的に指示されるようカーソルを制御することにより、ユーザが行うメニュー選択の操作性の向上を図っている。
【０００６】
すなわち、業務メニューの選択画面のように、アイコンが複数表示されているとき、ユーザが１回目にポインティング・デバイスによって１つのアイコンを指定する。
【０００７】
この指定によって、更にユーザによる１回以上のポインティング・デバイスによる指定操作が必要で、しかも指定する位置が多岐にわたるとき２回目以降の指定時には、それ以前に使用された頻度が最も高いアイコン上の位置に、カーソルを自動的に表示する。
【０００８】
以上の構成により、従来技術では、ポインティング・デバイスによる業務メニュー選択時等に要求される連続的カーソル操作におけるオペレータの負担を軽減し、操作効率の向上を図っている。
【０００９】
【特許文献１】特開平０３−１３５６１７公報（Ｐ４左上Ｌ１０〜Ｐ４右上Ｌ９、Ｐ４右下Ｌ４〜Ｐ４）右下Ｌ８、図２〜図５）
【発明の開示】
【発明が解決しようとする課題】
【００１０】
上述した従来技術は、ユーザがメニュー選択時にカーソル移動による複数回の指示を行う場合に２回目以降の指示のとき、それ以前の使用頻度が最高のアイコン上にカーソルを自動的に表示する。
【００１１】
しかし、ユーザが１回目にポインティング・デバイスによって１つのアイコンを指定するときは、常にカーソルがアイコン上に位置していなければアイコン選択することができない。
本発明の目的は、表示されたアイコン群の中から、任意のアイコンをポインターにより選択する際のユーザの操作性の向上を図る。
【課題を解決するための手段】
【００１２】
本発明の操作要素の制御方式は、所定の操作によりポインターを移動して表示部に表示されている１つあるいは複数の操作要素のいずれか１つを選択する機能を有する携帯情報装置の操作要素の選択方式において、前記表示部に表示する少なくとも機能やプログラムの前記操作要素の表示領域である第1の表示領域ごとに、前記第1の表示領域の近傍に所定の第２の表示領域を備え、前記ポインターが前記第２の表示領域内に位置したとき前記ポインターの移動軌跡が予め設定した所定の条件を満たしたとき対応する前記第１の識別情報を選択する操作要素選択手段を有することを特徴とする。
【００１３】
また、本発明の操作要素の制御方式は、所定の操作によりポインターを移動して表示部に表示されている１つあるいは複数の操作要素のいずれか１つを選択する機能を有する携帯情報装置の操作要素の選択方式において、前記表示部に表示する少なくとも機能やプログラムの前記操作要素の表示領域である第１の表示領域ごとに、前記第１の表示領域の近傍の任意の位置に所定の第２の表示領域を備え、前記ポインターが前記第２の表示領域内に位置したとき前記ポインターの移動軌跡が予め設定した所定の条件を満たしたとき対応する前記第１の識別情報を選択する操作要素選択手段を有することを特徴とする。
【００１４】
また、本発明の操作要素の制御方式は、ポインティング・デバイスの操作によりポインターを移動して表示部に表示されている１つあるいは複数の少なくとも機能やプログラムの操作要素のいずれか１つを選択する機能を有する携帯情報装置の操作要素の選択方式において、前記表示部に表示する前記操作要素個々の外周に所定の操作要素選択有効領域を備え、前記ポインターが前記操作要素選択有効領域内に位置したとき前記ポインターが前記操作要素選択有効領域内を所定回数以上連続して移動、停止を繰り返したとき、対応する前記操作要素を選択する操作要素選択手段を有することを特徴とする。
【００１５】
また、本発明の操作要素の制御方式は、前記操作要素選択有効領域内における前記ポインターの移動および停止の前記所定回数は２回以上であることを特徴とする。
【００１６】
また、本発明の操作要素の制御方式は、ポインティング・デバイスの操作によりポインターを移動して表示部に表示されている１つあるいは複数の少なくとも機能やプログラムの操作要素のいずれか１つを選択する機能を有する携帯情報装置の操作要素の選択方式において、前記表示部に表示する前記操作要素個々の外周に所定の操作要素選択有効領域を備え、前記ポインターが前記操作要素選択有効領域内に位置したとき前記ポインターが前記操作要素選択有効領域内で進行方向を進入時の方向と異なる方向を変更して停止したとき、対応する前記操作要素を選択する操作要素選択手段を有することを特徴とする。
【００１７】
本発明の携帯情報装置上記操作要素の選択方式を備えていることを特徴とする。
【００１８】
上記携帯情報装置は、ポインターを移動させるためのポインティング・デバイスと、前記ポインティング・デバイスの移動情報を前記ポインターの移動情報に変換する移動量変換部と、アイコン、ポインター等を表示する表示部と、アイコンや各アイコンに対するアイコン選択領域、アイコン選択有効領域、および前記表示部の表示に関する情報を格納する表示情報格納部と、前記表示部に表示される前記ポインターの座標位置情報を格納するポインター位置情報格納部と、前記ポインターの移動履歴情報を格納するポインター移動履歴情報格納部と、前記表示情報格納部と前記ポインター位置情報格納部の情報から少なくともアイコン、ポインターのビットマップデータを含む表示データの作成および前記表示部の制御を行う表示制御部と、ポインター位置更新要求を一定周期で発生させるタイマ部と、アイコンが選択される条件を格納した判断基準格納部と、前記表示情報格納部と前記ポインター位置情報格納部と前記ポインター移動履歴情報格納部の情報と、前記判断基準格納部の判断条件とから、どのアイコンが選択されているか判断するアイコン選択判断部と、上記各部の制御を含み携帯情報装置全体の制御を司る制御部とを有することを特徴とする。
【００１９】
本発明の操作要素の選択方法は、ポインティング・デバイスの操作によりポインターを移動して表示部に表示されている１つあるいは複数の少なくとも機能やプログラムの操作要素のいずれか１つを選択する機能を有する携帯情報装置の操作要素の選択方法において、前記表示部に表示する前記操作要素個々の外周に所定の操作要素選択有効領域を備え、ユーザが表示部上に表示されている所望する操作要素を選択すべく操作するポインティング・デバイスの移動を検出し、ポインティング・デバイスの移動量をポインターの移動量に変換する第１のステップと、第１のステップで変換した今回のポインター情報と保存してある前回のポインター位置情報とから現在のポインター位置を算出し、ポインター位置を更新し保存する第２のステップと、所定の周期で発生するポインター位置更新要求を検出したとき、保存している前々回のポインター位置情報と前回のポインター位置情報の内、前々回のポインター位置情報を破棄し、第２のステップで変換した今回のポインター情報を追加して前回のポインター位置情報と今回のポインター位置情報を保存する第３のステップと、少なくとも、予め保存してある複数の操作要素、操作要素個々の外周に設定されている操作要素選択有効領域の座標情報である表示情報、第２のステップで保存した現在のポインター位置情報、第３のステップで保存した前回のポインター位置情報および今回のポインター位置情報と、予め保存してある操作要素選択条件とを比較する第４のステップと、第４のステップにおいてポインターが前記操作要素選択有効領域内に存在し、且つこの操作要素選択有効領域内を前記ポインターが所定回数以上連続して移動、停止を繰り返したことを検出したとき、対応する操作要素の選択処理を行う第５のステップとから成ることを特徴とする。
【００２０】
また、本発明の操作要素の選択方法は、ポインティング・デバイスの操作によりポインターを移動して表示部に表示されている１つあるいは複数の少なくとも機能やプログラムの操作要素のいずれか１つを選択する機能を有する携帯情報装置の操作要素の選択方法において、前記表示部に表示する前記操作要素個々の外周に所定操作要素選択有効領域を備え、ユーザが表示部上に表示されている所望する操作要素を選択すべく操作するポインティング・デバイスの移動を検出し、ポインティング・デバイスの移動量をポインターの移動量に変換する第６のステップと、第６のステップで変換した今回のポインター情報と保存してある前回のポインター位置情報とから現在のポインター位置を算出し、ポインター位置を更新し保存する第７のステップと、所定の周期で発生するポインター位置更新要求を検出したとき、保存している前々回のポインター位置情報と前回のポインター位置情報の内、前々回のポインター位置情報を破棄し、第７のステップで変換した今回のポインター情報を追加して前回のポインター位置情報と今回のポインター位置情報を保存する第８のステップと、少なくとも、予め保存してある複数の操作要素、操作要素個々の外周に設定されている操作要素選択有効領域の座標情報である表示情報、第７のステップで保存した現在のポインター位置情報、第８のステップで保存した前回のポインター位置情報および今回のポインター位置情報と、予め保存してある操作要素選択条件とを比較する第９のステップと、第９のステップにおいてポインターが前記操作要素選択有効領域内に存在し、且つこの操作要素選択有効領域内を前記ポインターが進入方向と異なる方向へ移動して停止したことを検出したとき、対応する操作要素の選択処理を行う第１０のステップとから成ることを特徴とする。
【００２１】
また、本発明の操作要素の選択方法は、ポインティング・デバイスの操作によりポインターを移動して表示部に表示されている１つあるいは複数の少なくとも機能やプログラムの操作要素のいずれか１つを選択する機能を有する携帯情報装置の操作要素の選択方式において、前記表示部に表示する前記操作要素個々の外周に所定の操作要素選択有効領域を備え、ユーザが表示部上に表示されている所望する操作要素を選択すべく操作するポインティング・デバイスの移動を検出し、ポインティング・デバイスの移動量をポインターの移動量に変換する第１１のステップと、第１１のステップで変換した今回のポインター情報と保存してある前回のポインター位置情報とから現在のポインター位置を算出し、ポインター位置を更新し保存する第１２のステップと、所定の周期で発生するポインター位置更新要求を検出したとき、保存している前々回のポインター位置情報と前回のポインター位置情報の内、前々回のポインター位置情報を破棄し、第１２のステップで変換した今回のポインター情報を追加して前回のポインター位置情報と今回のポインター位置情報を保存する第３のステップと、少なくとも、予め保存してある複数の操作要素、操作要素個々の外周に設定されている操作要素選択有効領域の座標情報である表示情報、第１２のステップで保存した現在のポインター位置情報、第１３のステップで保存した前回のポインター位置情報および今回のポインター位置情報と、予め保存してある操作要素選択条件とを比較する第１４のステップと、第１４のステップにおいてポインターが前記操作要素選択有効領域内に存在し、且つこの操作要素選択有効領域内を前記ポインターが所定回数以上連続して移動、停止を繰り返したとき、または操作要素選択有効領域内を前記ポインターが進入方向と異なる方向へ移動して停止したことを検出したとき、対応する操作要素の選択処理を行う第１５のステップとから成ることを特徴とする。
【００２２】
本発明によれば、表示部の表示されている一つあるいは、複数のアイコンから目的のアイコンをマウス、静電式タブレット、トラックボール等のポインティング・デバイスを操作し、表示部に表示されているポインターを移動させことにより選択する機能を有するノート型パーソナルコンピュータやＰＤＡ、携帯端末、携帯電話等の携帯情報装置において、ポインターがアイコンを選択したと見なす領域に位置しなくとも、ポインターの移動した軌跡が特定の条件と一致した場合にアイコンを選択したと見なすことにより、アイコン選択の操作性が極めて容易になるという効果を得ることができる。
【発明の効果】
【００２３】
以上説明したように本発明においては、予め定めたアイコン近傍の所定の領域内におけるポインターの移動軌跡が所定の条件と一致したとき、そのアイコンを選択したものと判定することにより、表示されたアイコン群の中から、任意のアイコンをポインターにより選択する際のユーザの操作性が向上する。
【００２４】
このため、ポインターが所望するアイコン上に位置していなくてもアイコンを選択したと見なすことができる。
【発明を実施するための最良の形態】
【００２５】
次に図面を参照して本発明の実施の形態について説明する。
図１は本発明の携帯情報装置におけるアイコン表示の一例を示す図である。
図２は本発明のポインティング・デバイスによるポインターの移動、停止の繰り返しによるアイコンの選択例を示す図である。
【００２６】
図３は本発明のポインティング・デバイスによるポインターの移動方向の変化によるアイコンの選択例を示す図である。
図４は本発明の携帯情報装置の主要構成を示すブロック図である。
【００２７】
図５は第１の実施の形態のアイコン選択処理を説明するためのフローチャートである。
【００２８】
図６は第２の実施の形態のアイコン選択処理を説明するためのフローチャートである。
【００２９】
図７は第３の実施の形態のアイコン選択処理を説明するためのフローチャートである。
【００３０】
最初に図１を参照して本発明のアイコン表示領域の構成について説明する。
図１によれば、携帯情報装置１００は、表示部１０１と、ポインティング・デバイス１０４とから構成されている。
【００３１】
表示部１０１にはアイコン群１０２と、ポインター１０３が表示されている。
【００３２】
アイコン群１０２は、図１中のアイコン周辺拡大図に示すようにアイコン１１０と、アイコン１１０の周囲にはアイコン選択領域１１１が存在する。
さらにアイコン選択領域の周囲にはアイコン選択有効領域１１２が存在する。
【００３３】
操作者が携帯情報装置１００の表示部１０１に表示されているアイコン群１０２中から任意のアイコンをポインター１０３で選択する際、操作者はポインティング・デバイス１０４を操作し、選択する任意のアイコンにポインター１０３を移動させる。
【００３４】
各アイコンの外周には、ポインター１００がアイコンを選択していると見なすアイコン選択領域が存在し、更にその外周にアイコン選択有効領域が存在する。
【００３５】
すなわち、アイコン周辺拡大図のように、アイコン１１０の外周にはポインター１００がアイコン１１０を選択していると見なすアイコン選択領域１１１がある。
【００３６】
更に、アイコン選択領域１１１の外周にアイコン選択有効領域１１２がある。
【００３７】
ポインター１０３が、同一のアイコン選択有効領域１１２内で特定の回数以上連続して移動、停止を繰り返した場合、ユーザがアイコン選択有効領域１１２に対応するアイコン１１０を選択する意思があり、ポインター１０３がそのアイコン１１０の周囲を細かく移動したと、携帯情報装置１００のアイコン選択判断部（図示せず）が判断する。
【００３８】
また、同一のアイコン選択有効領域１１２内で進入方向と異なる方向に移動し停止した場合、ユーザがアイコン選択有効領域１１２に対応するアイコン１１０を選択する意思があり、ポインター１０３がそのアイコン１１０の周囲を細かく移動した、携帯情報装置１００のアイコン選択判断部（図示せず）が判断する。
【００３９】
このように、携帯情報装置１００のアイコン選択判断部（図示せず）が、ポインター１０３が所望するアイコン１１０のアイコン選択領域１１１内に位置していなくても、アイコン選択有効領域１１２内に位置しているため、アイコン１１０を選択したものと判断すると、携帯情報装置１００の制御部（図示せず）がアイコン１１０の選択処理を実行する。
【００４０】
次に本発明の第１の実施の形態について説明する。
【００４１】
最初に図４を参照して本発明の携帯情報装置のハードウェア構成について説明する。
図４によれば、携帯情報装置１００は、ポインターを移動させるためのポインティング・デバイス３００を備えている。
【００４２】
また、ポインティング・デバイス３００の移動情報をポインターの移動情報に変換する移動量変換部３０１を備えている。
【００４３】
また、アイコン、ポインター等を表示する表示部３０２、アイコンや各アイコンに対するアイコン選択領域、アイコン選択有効領域、またその他表示部の表示に関する情報を格納する表示情報格納部３０３を備えている。
【００４４】
表示部に表示されるポインターの座標位置情報を格納するポインター位置情報格納部３０４を備えている。
【００４５】
また、ポインターの移動履歴情報を格納するポインター移動履歴情報格納部３０５を備えている。
【００４６】
また、表示情報格納部３０３、ポインター位置情報格納部３０４の情報から表示データの作成および表示部の制御を行う表示制御部３０６を備えている。
【００４７】
また、ポインター位置更新要求を一定周期で発生させるタイマ部３０７を備えている。
【００４８】
また、アイコンが選択される条件を格納した判断基準格納部３０８を備えている。
【００４９】
判断基準格納部３０８、表示情報格納部３０３、ポインター位置情報格納部３０４、ポインター移動履歴情報格納部３０５の情報と、判断基準格納部３０８のアイコン選択条件から、どのアイコンが選択されているか判断するアイコン選択判断部３０９を備えている。
【００５０】
上記各部の制御を含む携帯情報装置全体の制御を司る制御部３１０を備えている。
【００５１】
次に図５に図４を併せて参照して第１の実施の形態のアイコン選択処理について説明する。
【００５２】
ユーザが所定の方法で携帯情報装置１００を起動（図５のステップＳ１０１）すると、表示制御部３０６は表示部３０２に複数のアイコンとポインターを表示させる（Ｓ１０２）。
【００５３】
ユーザがポインティング・デバイス３００を操作して表示部３０２上に表示されている所望するアイコンを選択すべくポインターを移動する（Ｓ１０３）。
【００５４】
移動量変換部３０１は、ポインティング・デバイス３００が移動したことを検出（Ｓ１０４）すると、ポインティング・デバイス３００の移動量をポインターの移動量に変換する（Ｓ１０５）。
【００５５】
移動量変換部３０１は、変換したポインター移動情報をポインター位置情報格納部３０４およびポインター移動履歴格納部３０５へ出力する。
【００５６】
ポインター位置情報格納部３０４は、移動量変換部３０１から受け取ったポインターの移動情報を一時記憶（Ｓ１０６）する。
【００５７】
ポインター位置情報格納部３０４は、記憶してある前回のポインター移動情報と一時記憶した今回のポインター移動情報とから現在のポインター位置を算出し、ポインター位置を更新し保存する（Ｓ１０７）。
【００５８】
ポインター移動履歴格納部３０５は、移動量変換部３０１から受け取ったポインターの移動情報を一時記憶（Ｓ１０８）した後、タイマ部３０７から所定の周期で送出されるポインター位置更新要求を監視する（Ｓ１０９）。
【００５９】
ポインター移動履歴格納部３０５は、タイマ部３０７から送出されるポインター位置更新要求を検出する。
【００６０】
ポインター移動履歴格納部３０５は、ポインター位置更新要求を検出すると記憶してある前々回のポインター位置情報と前回のポインター位置情報の内、前々回のポインター位置情報を破棄する。
【００６１】
ポインター移動履歴格納部３０５は、前々回のポインター位置情報を破棄した後、今回のポインター位置情報を追加し前回のポインター位置情報と共に記憶する（Ｓ１１０）。
すなわち、アイコン選択時におけるポインターの移動および停止は、ポインターの位置情報(座標データ)を一定期間毎に取得して判断する。ポインターの位置情報が一定期間変化がない場合は停止と判断し、変化があった場合は移動中と判断する。
【００６２】
これにより同一のアイコン選択有効領域内におけるポインターの停止回数とその停止位置の検出が可能となる。
【００６３】
アイコン選択制御部３０９は、判定条件格納部３０８から予め設定されたアイコン選択条件を読み出し、ステップＳ１０７およびステップＳ１１０において検出したポインター位置と比較する（Ｓ１１１）。
【００６４】
ここでは、アイコン選択条件を同一のアイコン選択有効領域でポインターが連続して移動、停止を２回以上繰り返したか否かとする。
【００６５】
すなわち、アイコン選択制御部３０９は、アイコン選択制御部３０９は、表示情報格納部３０３からアイコン、アイコン選択領域、アイコン選択有効領域を読み出す。
【００６６】
アイコン選択制御部３０９は、アイコン、アイコン選択領域、アイコン選択有効領域、ステップＳ１０７において更新したポインター位置情報、ステップＳ１１０において設定した前回および今回のポインター位置情報とからポインターの移動軌跡を演算する。
【００６７】
アイコン選択制御部３０９は、判定条件格納部３０８からアイコン選択条件を読み出し、
演算結果と照合し、同一のアイコン選択有効領域内のポインターの移動回数がｎ回(ここでは２回)以上連続しているか否かを判定する（Ｓ１１２）。
【００６８】
ステップＳ１１２におけるポインターの移動回数の判定結果がｎ回以上のとき、同一のアイコン選択有効領域内のポインターの停止回数が所定回数ｎ以上か否かを判定する（Ｓ１１３）。
【００６９】
ステップＳ１１３におけるポインターの停止回数の判定結果がｎ回以上であるとき、ポインター位置に対応するアイコンの選択処理を行う（Ｓ１１４）。
【００７０】
ステップＳ１１２における判定結果がｎ回未満のときおよびステップＳ１１３における判定結果がｎ回未満のときは無効としてアイコン選択を終了する。
【００７１】
ここでポインターの移動軌跡の検出について図２を参照して説明する。
図２によれば、表示部１０１に表示されたアイコン群１０２の中にアイコンＡ２０１とアイコンＢ２０４が表示されている。
アイコンＡ２０１の周囲には、アイコンＡ選択領域２０２とアイコンＡ選択有効領域２０３が定められた領域として設定されている。
アイコンＢ２０４の周囲には、アイコンＢ選択領域２０５とアイコンＢ選択有効領域２０６が定められた領域として設定されている。
【００７２】
ここでは、アイコンが選択される条件を、ポインター２００が、同一のアイコン選択有効領域内で２回以上連続して移動、停止を繰り返した場合に、そのアイコン選択有効領域と対応付けられているアイコンが選択されたとみなすものとする。
【００７３】
操作者がアイコンＢ２０４を選択する際に、図２に示すようにポインター２００を移動地点Ａから移動地点Ｂ、Ｃで停止しながら移動地点Ｄへ移動した場合を想定する。
【００７４】
すなわち、ポインター２００が移動地点ＡからアイコンＡ選択有効領域２０３内の移動地点Ｂへ移動して一旦停止する。
【００７５】
移動地点Ｂで一旦停止してからアイコンＢ選択有効領域２０６内へ移動して移動地点Ｃで一旦停止する。
【００７６】
移動地点Ｃで一旦停止してから更にアイコンＢ選択有効領域２０６内を移動してアイコンＢ選択領域２０５外の移動地点Ｄで停止した場合、アイコンＢ２０４が選択されたものとみなす。
【００７７】
このときのポインター２００は、アイコンＢ選択領域２０５内に位置していないが、ポインター２００がアイコンＢ選択有効領域２０６内の移動地点Ｃと移動地点Ｄで連続して、移動し且つ停止を繰り返している。
【００７８】
すなわち、ポインター２００の移動は、移動地点Ｂから移動地点Ｃへの移動時のアイコン選択有効領域２０６内における移動地点Ｃまでの移動が１回、移動地点Ｃから移動地点Ｄ間での移動が１回で２回となる。
また、ポインター２００の停止は、移動地点Ｃでの停止が１回、移動地点Ｄでの停止が１回で２回となる。
従って、ポインター２００の移動軌跡がアイコン選択条件と一致するので、ユーザがアイコンＢ２０４を選択したと見なす。
【００７９】
しかし、ポインター２００はアイコンＡ選択有効領域２０３内の移動地点Ｂで一度しか停止が行われていないため、アイコンＡ２０１が選択されたとは見なされない。
第１の実施の形態によれば、同一のアイコン選択有効領域内をポインターが所定回数以上連続して、移動、停止を繰り返したとき、ポインターがアイコン選択有効領域内にあっても対応するアイコンを選択する。
そのため、ユーザはアイコン選択が極めて容易で、且つ選択操作時間を短縮することができる。
【００８０】
なお、第１の実施の形態では、アイコンは、外周にアイコン選択領域を備え、更にその外周にアイコン選択有効領域を備える例について説明したが、アイコンの外周にアイコン選択有効領域があってもよい。すなわち、アイコン選択領域は無くてもよい
また、アイコン選択有効領域は、アイコンの外周でなく、周囲の１部の領域であってもよく、その領域を限定するものではない。
【００８１】
また、所望するアイコンを選択すべくポインターを移動する手段として、ポインティング・デバイスを使用した例について説明したが、ポインティング・デバイスに限定するものではない。例えば、音声入力によりポインターを移動してもよい。
【００８２】
次に図６に図４を併せて参照して第２の実施の形態のアイコン選択処理について説明する。
なお、携帯情報装置１００のハードウェア構成は第１の実施の形態と同一であるため説明を省略する。
【００８３】
第１の実施の形態との相違点は、アイコン選択条件が異なる。
【００８４】
すなわち、アイコン選択条件は、同一アイコン選択有効領域なでポインターが進入時の移動方向と異なる方向へ移動して停止している場合に、そのアイコン選択有効領域と対応付けられているアイコンが選択されたものと見なす。
【００８５】
ユーザが所定の方法で携帯情報装置１００を起動（図６のステップＳ２０１）すると、表示制御部３０６は表示部３０２に複数のアイコンとポインターを表示させる（Ｓ２０２）。
【００８６】
ユーザがポインティング・デバイス３００を操作して表示部３０２上に表示されている所望するアイコンを選択すべくポインターを移動する（Ｓ２０３）。
【００８７】
移動量変換部３０１は、ポインティング・デバイス３００が移動したことを検出（Ｓ２０４）すると、ポインティング・デバイス３００の移動量をポインターの移動量に変換し（Ｓ２０５）、変換したポインター移動情報をポインター位置情報格納部３０４およびポインター移動履歴格納部３０５へ出力する。
【００８８】
ポインター位置情報格納部３０４は、移動量変換部３０１から受け取ったポインターの移動情報を一時記憶（Ｓ２０６）する。
【００８９】
ポインター位置情報格納部３０４は、記憶してある前回のポインター移動情報と一時記憶した今回のポインター移動情報とから現在のポインター位置を算出し、ポインター位置を更新し保存する（Ｓ２０７）。
【００９０】
ポインター移動履歴格納部３０５は、移動量変換部３０１から受け取ったポインターの移動情報を一時記憶（Ｓ２０８）した後、タイマ部３０７から所定の周期で送出されるポインター位置更新要求を監視する（Ｓ２０９）。
【００９１】
ポインター移動履歴格納部３０５は、タイマ部３０７から送出されるポインター位置更新要求を検出する。
【００９２】
ポインター移動履歴格納部３０５は、ポインター位置更新要求を検出すると記憶してある前々回のポインター位置情報と前回のポインター位置情報の内、前々回のポインター位置情報を破棄する。
【００９３】
ポインター移動履歴格納部３０５は、前々回のポインター位置情報を破棄した後、今回のポインター位置情報を追加し前回のポインター位置情報と共に記憶する（Ｓ２１０）。
【００９４】
すなわち、アイコン選択時におけるポインターの移動および停止は、ポインターの位置情報（座標データ）を一定期間毎に取得して判断する。ポインターの位置情報が一定期間変化がない場合は停止と判断し、変化があった場合は移動中と判断する。
【００９５】
これにより同一のアイコン選択有効領域内におけるポインターの停止回数とその停止位置の検出が可能となる。
【００９６】
アイコン選択制御部３０９は、判定条件格納部３０８から予め設定されたアイコン選択条件を読み出し、ステップＳ２０７およびステップＳ２１０において検出したポインター位置と比較する（Ｓ２１１）。
【００９７】
ここでは、アイコン選択条件を同一のアイコン選択有効領域でポインターが進入時の移動方向と異なる方向へ移動しているか否かとする。
【００９８】
すなわち、アイコン選択制御部３０９は、表示情報格納部３０３からアイコン、アイコン選択領域、アイコン選択有効領域をそれぞれ読み出す。
【００９９】
アイコン選択制御部３０９は、アイコン、アイコン選択領域、アイコン選択有効領域、ステップＳ２０７において更新したポインター位置情報、ステップＳ２１０において設定した前回および今回のポインター位置情報とからポインターの移動軌跡を演算する。
【０１００】
アイコン選択制御部３０９は、判定条件格納部３０８からアイコン選択条件を読み出し、同一のアイコン選択有効領域内のポインターの移動方向(ベクトル)が変化しているか否かを判定する（Ｓ２１２）。
【０１０１】
ステップＳ２１２においてベクトルの方向が変化していることを判定したとき、ポインター位置に対応するアイコンの選択処理を行う（Ｓ２１３）。ステップＳ１１２における判定結果が方向変化無しのときは無効としてアイコン選択を終了する。
ここでポインターの移動軌跡の検出について図３を参照して説明する。
図３によれば、ポインター２００が、移動地点ＥからアイコンＡ選択有効領域２０３内の移動地点Ｆ、アイコンＢ選択有効領域２０６の移動地点Ｇを通りアイコンＢ選択有効領域２０６の移動地点Ｈまで停止せず移動した場合を想定する。
【０１０２】
アイコンＢ選択有効領域２０６内の移動地点Ｇで移動地点Ｈまでの進入方向に対して異なる方向に移動方向が変化して移動地点Ｈで停止している。
【０１０３】
ここではアイコン選択条件を、同一アイコン選択有効領域内でポインター２００が方向を変更して停止した場合に、そのアイコン選択有効領域と対応つけられているアイコンが選択されたと見なすものとする。
【０１０４】
そのため、アイコンＢ選択領域２０５内にポインター２００が位置していなくても、ポインター２００がアイコンＢ２０４を選択していると見なし、アイコンＢ２０４を選択している状態となる。
第２の実施の形態によれば、同一のアイコン選択有効領域内をポインターが進入方向に対して異なる方向に移動して停止しているとき、ポインターがアイコン選択有効領域内にあっても対応するアイコンを選択する。
そのため、ユーザはアイコン選択が極めて容易で、且つ選択操作時間を短縮することができる。
なお、第２の実施の形態では、アイコンは、外周にアイコン選択領域を備え、更にその外周にアイコン選択有効領域を備える例について説明したが、アイコンの外周にアイコン選択有効領域があってもよい。すなわち、アイコン選択領域は無くてもよい。
【０１０５】
また、アイコン選択有効領域は、アイコンの外周でなく、周囲の１部の領域であってもよく、その領域を限定するものではない。
【０１０６】
また、所望するアイコンを選択すべくポインターを移動する手段として、ポインティング・デバイスを使用した例について説明したが、ポインティング・デバイスに限定するものではない。例えば、音声入力によりポインターを移動してもよい。
【０１０７】
次に図７に図４を併せて参照して第３の実施の形態のアイコン選択処理について説明する。なお、携帯情報装置１００の構成は第１の実施の形態と同一であるため説明を省略する。
【０１０８】
第３の実施の形態は、第１の実施の形態におけるアイコン選択条件と第２の実施の形態におけるアイコン選択条件の双方をアイコン選択条件とする。
【０１０９】
ユーザが所定の方法で携帯情報装置１００を起動（図７のステップＳ３０１）すると、表示制御部３０６は表示部３０２に複数のアイコンとポインターを表示させる（Ｓ３０２）。
【０１１０】
ユーザがポインティング・デバイス３００を操作して表示部３０２上に表示されている所望するアイコンを選択すべくポインターを移動する（Ｓ３０３）。
【０１１１】
移動量変換部３０１は、ポインティング・デバイス３００が移動したことを検出（Ｓ３０４）すると、ポインティング・デバイス３００の移動量をポインターの移動量に変換する（Ｓ３０５）。
【０１１２】
移動量変換部３０１は、変換したポインター移動情報をポインター位置情報格納部３０４およびポインター移動履歴格納部３０５へ出力する。
【０１１３】
ポインター位置情報格納部３０４は、移動量変換部３０１から受け取ったポインターの移動情報を一時記憶する（Ｓ３０６）。
【０１１４】
ポインター位置情報格納部３０４は、記憶してある前回のポインター移動情報と一時記憶した今回のポインター移動情報とから現在のポインター位置を算出し、ポインター位置を更新し保存する（Ｓ３０７）。
【０１１５】
ポインター移動履歴格納部３０５は、移動量変換部３０１から受け取ったポインターの移動情報を一時記憶（Ｓ３０８）した後、タイマ部３０７から所定の周期で送出されるポインター位置更新要求を監視する（Ｓ３０９）。
【０１１６】
ポインター移動履歴格納部３０５は、タイマ部３０７から送出されるポインター位置更新要求を検出する。
【０１１７】
ポインター移動履歴格納部３０５は、ポインター位置更新要求を検出すると、記憶してある前々回のポインター位置情報と前回のポインター位置情報の内、前々回のポインター位置情報を破棄し、今回のポインター位置情報を追加し前回のポインター位置情報と共に記憶する（Ｓ３１０）。
すなわち、アイコン選択時におけるポインターの移動および停止は、ポインターの位置情報（座標データ）を一定期間毎に取得して判断する。ポインターの位置情報が一定期間変化がない場合は停止と判断し、変化があった場合は移動中と判断する。
【０１１８】
これにより同一のアイコン選択有効領域内におけるポインターの停止回数とその停止位置の検出が可能となる。また、ポインターの停止位置からポインターの移動方向の変化を検出することが可能となる。
【０１１９】
アイコン選択制御部３０９は、判定条件格納部３０８から予め設定されたアイコン選択条件を読み出し、ステップＳ３０７およびステップＳ３１０において検出したポインター位置と比較する（Ｓ３１１）。
【０１２０】
ここでは、アイコン選択条件を同一のアイコン選択有効領域でポインターが連続して移動、停止を２回以上繰り返したか否か、またはアイコン選択条件を同一のアイコン選択有効領域でポインターが進入時の移動方向と異なる方向へ移動しているか否かとする。
【０１２１】
すなわち、アイコン選択制御部３０９は、表示情報格納部３０３からアイコン、アイコン選択領域、アイコン選択有効領域をそれぞれ読み出す。
【０１２２】
アイコン選択制御部３０９は、アイコン、アイコン選択領域、アイコン選択有効領域、ステップＳ３０７において更新したポインター位置情報、ステップＳ３１０において設定した前回および今回のポインター位置情報とから、ポインターの移動軌跡を演算する。
【０１２３】
アイコン選択制御部３０９は、判定条件格納部３０８からアイコン選択条件を読み出し、演算結果と照合し、同一のアイコン選択有効領域内のポインターの移動回数がｎ回(ここでは２回)以上連続しているか否かを判定する（Ｓ３１２）。
【０１２４】
ステップＳ３１２においてポインターの移動回数がｎ回未満であってとき、同一のアイコン選択有効領域内のポインターの移動方向が変化しているか否かを判定する（Ｓ３１３）。
【０１２５】
すなわち、アイコン選択制御部３０９は、表示情報格納部３０３からアイコン、アイコン選択領域、アイコン選択有効領域をそれぞれ読み出す。
【０１２６】
アイコン選択制御部３０９は、アイコン、アイコン選択領域、アイコン選択有効領域、ステップＳ３０７において更新したポインター位置情報、ステップＳ３１０において設定した前回および今回のポインター位置情報とからポインターの移動軌跡を演算する。
【０１２７】
アイコン選択制御部３０９は、判定条件格納部３０８からアイコン選択条件を読み出し演算結果と照合し、同一のアイコン選択有効領域内のポインターの移動方向(ベクトル)が変化しているか否かを判定する(Ｓ３１３)。
【０１２８】
アイコン選択制御部３０９は、ステップＳ３１２におけるポインターの移動回数の判定結果がｎ回以上連続であるとき、同一のアイコン選択有効領域内のポインターの停止回数が所定回数ｎ回以上であるか否かを判定する（３１４）。
【０１２９】
アイコン選択制御部３０９は、ステップＳ３１３におけるポインターの移動方向の判定結果が変化有りであるとき、またはステップＳ３１４における判定結果がｎ回以上であるとき、ポインター位置に対応するアイコンの選択処理を制御部３１０へ要求する。
【０１３０】
制御部３１０は、アイコン選択制御部３０９アイコン処理要求を受けるとアイコン選択処理を開始する（Ｓ３１５）。
【０１３１】
ステップＳ３１３におけるポインターの移動方向の判定結果が変化無しのとき、またはステップＳ３１４におけるポインターの停止回数の判定結果がｎ回未満のときは無効としてアイコン選択を終了する。
第３の実施の形態によれば、同一のアイコン選択有効領域内をポインターが所定回数以上連続して、移動、停止を繰り返したとき、ポインターがアイコン選択有効領域内にあっても対応するアイコンを選択する。
【０１３２】
また、同一のアイコン選択有効領域内をポインターが進入方向に対して異なる方向に移動して停止しているとき、ポインターがアイコン選択有効領域内にあっても対応するアイコンを選択する。
そのため、ユーザは、第１の実施の形態または第２の実施の形態に比べ、更に、アイコン選択が容易で、且つ選択操作時間を短縮することができる。
第３の実施の形態では、アイコンは、外周にアイコン選択領域を備え、更にその外周にアイコン選択有効領域を備える例について説明したが、アイコンの外周にアイコン選択有効領域があってもよい。すなわち、アイコン選択領域は無くてもよい
また、アイコン選択有効領域は、アイコンの外周でなく、周囲の１部の領域であってもよく、その領域を限定するものではない。
【０１３３】
また、所望するアイコンを選択すべくポインターを移動する手段として、ポインティング・デバイスを使用した例について説明したが、ポインティング・デバイスに限定するものではない。例えば、音声入力によりポインターを移動してもよい。
【図面の簡単な説明】
【０１３４】
【図１】図１は本発明の携帯情報装置におけるアイコン表示の一例を示す図である。図２は本発明のポインティング・デバイスによるポインターの移動、停止の繰り返しによるアイコンの選択例を示す図である。
【０１３５】
図３は本発明のポインティング・デバイスによるポインターの移動方向の変化によるアイコンの選択例を示す図である。
図４は本発明の携帯情報装置の主要構成を示すブロック図である。
【０１３６】
図５は第１の実施の形態のアイコン選択処理を説明するためのフローチャートである。
【０１３７】
図６は第２の実施の形態のアイコン選択処理を説明するためのフローチャートである。
【０１３８】
図７は第３の実施の形態のアイコン選択処理を説明するためのフローチャートである。
本発明の携帯情報装置におけるアイコン表示の一例を示す図である。
【図２】本発明のポインティング・デバイスによるポインターの移動、停止の繰り返しによるアイコンの選択例を示す図である。
【図３】本発明のポインティング・デバイスによるポインターの移動方向の変化によるアイコンの選択例を示す図である。
【図４】本発明の携帯情報装置の主要構成を示すブロック図である。
【図５】図５は第１の実施の形態のアイコン選択処理を説明するためのフローチャートである。
【図６】第２の実施の形態のアイコン選択処理を説明するためのフローチャートである。
【図７】第３の実施の形態のアイコン選択処理を説明するためのフローチャートである。
【符号の説明】
【０１３９】
１００    携帯情報装置
１０１    表示部
１０２    アイコン群
１０３    ポインター
１０４    ポインティング・デバイス
１１０    アイコン
１１１    アイコン選択領域
１１２    アイコン選択有効領域
２００    ポインター
２０１    アイコンＡ
２０２    アイコンＡ選択領域
２０３    アイコンＡ選択有効領域
２０４    アイコンＢ
２０５    アイコンＢ選択領域
２０６    アイコンＢ選択有効領域
３００    ポインティング・デバイス
３０１    移動量変換部
３０２    表示部
３０３    表示情報格納部
３０４    ポインター位置情報格納部
３０５    ポインター移動履歴格納部
３０６    表示制御部
３０７    タイマ部
３０８    判定条件格納部
３０９    アイコン選択制御部
３１０    制御部
【図１】
2005215749.tif 000003
【図２】
2005215749.tif 000004
【図３】
2005215749.tif 000005
【図４】
2005215749.tif 000006
【図５】
2005215749.tif 000007
【図６】
2005215749.tif 000008
【図７】
2005215749.tif 000009